(57)【特許請求の範囲】
【請求項１】
給湯装置から温水または水の供給を受け、ミストにして噴出する湯水噴出装置を備えた湯水噴出空調システムにおいて、
前記湯水噴出装置は、
前記給湯装置から供給される温水または水の給湯状態を検出する給湯状態検出手段と、
前記湯水噴出装置でミストを噴出するミストモードを開始して、前記給湯装置から供給される温水または水の給湯状態の変動を前記給湯状態検出手段で検出すると、ミストの噴出を停止して、前記給湯装置から供給される温水または水の給湯状態を監視する待機運転を行う制御手段とを備えた
ことを特徴とする湯水噴出空調システム。
【請求項２】
前記制御手段は、待機運転を開始して、前記給湯装置から供給される温水または水の給湯状態を監視し、所定の異常検出時間内に給湯状態の変動が復帰すると、前記湯水噴出装置からのミストの噴出を再開し、給湯状態の変動が継続して所定の異常検出時間が経過すると、エラーと判断する
ことを特徴とする請求項１記載の湯水噴出空調システム。
【請求項３】
前記湯水噴出装置は、前記給湯装置から供給された温水または水を排水する流路切替装置を備え、
前記制御手段は、待機運転を開始すると、前記流路切替装置により温水または水の供給先を切り替えて排水を開始し、前記給湯装置からの供給を継続して温水または水の給湯状態を監視する
ことを特徴とする請求項１または２記載の湯水噴出空調システム。
【請求項４】
待機運転を開始したことを利用者に報知する報知手段を備えた
ことを特徴とする請求項１，２または３記載の湯水噴出空調システム。
【請求項５】
前記制御手段は、ミストモードでミストを噴出する運転中と、待機運転中を区別して前記報知手段で報知する
ことを特徴とする請求項４記載の湯水噴出空調システム。
【請求項６】
前記報知手段は、前記湯水噴出装置でミストが噴出される室内に設置され、利用者が運転モードを選択する操作手段に備えた表示ランプであり、ミストモードでミストを噴出する運転中と待機運転中を、表示ランプの点灯と点滅で区別して報知する
ことを特徴とする請求項５記載の湯水噴出空調システム。
【請求項７】
前記湯水噴出装置でミストが噴出される室内を暖房する暖房運転が少なくとも行われる空調装置を備え、
前記制御手段は、前記空調装置による暖房と前記湯水噴出装置によるミストの噴出を連動させてミストモードを行う
ことを特徴とする請求項１から請求項６に何れか記載の湯水噴出空調システム。
【発明の詳細な説明】
【技術分野】
【０００１】
本発明は、温水または水によるミストを噴出して、浴室やシャワー室等の室内の加湿暖房を行う湯水噴出空調システムに関する。
【背景技術】
【０００２】
従来より、温水をミストとして浴室内に噴出し、浴室の加湿暖房を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に噴出する構成である。
【０００４】
【特許文献１】特公平６−５９３０１号公報
【発明の開示】
【発明が解決しようとする課題】
【０００５】
従来より、ミスト装置でミストを噴出する運転中に何らかの要因により給湯温度が変動して、ミスト噴出に適した温度より上昇または低下した場合、ミストの噴出を停止してエラー処理を行っている。
【０００６】
しかし、給湯器から供給される温水の水温は必ずしも安定しているわけではなく、エラーと判断する水温を一時的に超えたり下回ったりする若干のオーバーシュートが起こりうる。
【０００７】
このため、給湯器からの給湯温度を監視して異常の有無を判断すると、機器が正常であるにもかかわらず、頻繁にエラーが発生したと判断され、運転が中止されるという問題があった。
【０００８】
本発明は、このような課題を解決するためになされたもので、エラーの誤検出を防ぐことができるようにした湯水噴出空調システムを提供することを目的とする。
【課題を解決するための手段】
【０００９】
上述した課題を解決するため、本発明の湯水噴出空調システムは、給湯装置から温水または水の供給を受け、ミストにして噴出する湯水噴出装置を備えた湯水噴出空調システムにおいて、湯水噴出装置は、給湯装置から供給される温水または水の給湯状態を検出する給湯状態検出手段と、湯水噴出装置でミストを噴出するミストモードを開始して、給湯装置から供給される温水または水の給湯状態の変動を給湯状態検出手段で検出すると、ミストの噴出を停止して、給湯装置から供給される温水または水の給湯状態を監視する待機運転を行う制御手段とを備えたことを特徴とする。
【００１０】
本発明の湯水噴出空調システムでは、ミストモードの運転を開始すると、給湯装置から供給される温水または水の給湯状態を監視し、水温の変化等、所定の給湯状態の変動を検出すると、ミストの噴出を一時停止して、給湯装置から供給される温水または水の給湯状態を監視する待機運転を行う。
【００１１】
待機運転を開始した後、所定の異常検出時間内に給湯状態の変動が復帰すると、ミストの噴出を再開する。
【発明の効果】
【００１２】
本発明の湯水噴出空調システムによれば、給湯装置から供給される温水の給湯温度が安定しない状態でも、ミストの噴出を一時停止して、給湯装置から供給される温水または水の給湯状態を監視する待機運転を行うことで、エラーの誤検出を防ぐことができ、機器が正常な状態であるにもかかわらず、エラーが頻発することを防ぐことができる。
【発明を実施するための最良の形態】
【００１３】
以下、図面を参照して本発明の湯水噴出空調システムの一例である浴室空調システムの実施の形態について説明する。
【００１４】
＜本実施の形態の浴室空調システムの全体構成例＞
図１は本実施の形態の浴室空調システム１Ａの一例を示す構成図である。本実施の形態の浴室空調システム１Ａは、温水を霧状のミストにして浴室１０１内に噴出するミスト発生装置２と、浴室１０１の暖房や換気等を行う浴室空調装置３を備える。
【００１５】
浴室空調システム１Ａは、ミスト発生装置２に対する温水ＨＷの供給元として、例えば自然冷媒（ＣＯ2）を利用したヒートポンプ方式の給湯装置４と組み合わせて使用される。
【００１６】
ミスト発生装置２は、ミスト生成するノズルユニット２Ａと、給湯装置４から供給される温水（水）を、ノズルユニット２Ａに供給するか排水するかを切り替える弁ユニット２Ｂを備える。ここで、ミストとは、霧や靄、さらにはシャワー等の状態を含むものである。
【００１７】
浴室空調システム１Ａは、浴室１０１に設置されたミスト操作部５と、浴室１０１に隣接した洗面脱衣所１０２に設置された主操作部６が操作されることで、ミスト発生装置２と浴室空調装置３で実行される運転モードが選択される。
【００１８】
ミスト操作部５では、主に暖房に関する運転モードについての操作が行われ、入浴中等に暖房に関する操作が可能である。また、主操作部６では、暖房を含めた全般の運転モードについての操作が行われ、浴室１０１に入室することなく、暖房、換気や乾燥等に関する操作が可能である。
【００１９】
浴室空調システム１Ａは、ミスト発生装置２に備えたミスト制御部７と、浴室空調装置３に備えた主制御部８に制御される。ミスト制御部７は、ミスト発生装置２の弁ユニット２Ｂを駆動して、ミストＭの噴出の有無を切り替える制御等を行う。また、主制御部８は、浴室空調装置３を駆動して、浴室１０１から空気Ａを吸い込み、温風ＨＡあるいは送風として吹き出す制御、及び浴室１０１から吸い込んだ空気Ａを屋外へ排気する制御等を行う。
【００２０】
そして、浴室空調システム１Ａは、ミスト操作部５あるいは主操作部６が操作されることで選択された運転モードに応じて、ミスト制御部７と主制御部８との間で通信が行われ、浴室空調装置３単独あるいはミスト発生装置２と浴室空調装置３を連動させた制御が実行される。
【００２１】
ミスト操作部５あるいは主操作部６が操作されることで選択され、浴室空調システム１Ａで実行される運転モードとして、例えば、ミスト発生装置２によるミストＭの噴出と、浴室空調装置３による温風ＨＡの吹き出しを連動させて、浴室１０１内を中温高湿のミストサウナ状態とするミストモードを備える。
【００２２】
ミストモードでは、浴室空調装置３により温風ＨＡを吹き出して浴室１０１内の温度を上昇させてから、ミスト発生装置２で所定の温度に達したミストＭの噴出を行うことで、入浴者（利用者）に冷感を与えないようにする。
【００２３】
そして、ミストモードでは、浴室１０１内の温度及びミストＭとして噴出させる温水ＨＷの温度を検出し、浴室１０１内の状態が入浴に適した状態となったか否かを判断して、ミスト操作部５及び主操作部６より入浴者等に報知する。
【００２４】
また、ミストＭとして噴出させる温水ＨＷの温度を検出し、給湯温度が変動した場合にはミストの噴出を一時停止して給湯温度の監視を行い、給湯温度の変動が継続する場合はエラーとし、給湯温度が復帰した場合はミストの噴出を再開する。
【００２５】
＜ミスト発生装置の構成例及び動作例＞
図２はミスト発生装置２を構成するノズルユニット２Ａの一例を示す構成図で、図２（ａ）はノズルユニット２Ａを下側から見た平面図、図２（ｂ）は図２（ａ）に示すノズルユニット２ＡのＡ−Ａ断面図、図２（ｃ）は図２（ａ）に示すノズルユニット２ＡのＢ−Ｂ断面図である。
【００２６】
ノズルユニット２Ａは湯水噴出装置の一例で、ミストを生成する複数のミストノズル１１が、各ミストノズル１１に温水（水）を供給する供給配管１２を介して本体部１３の内部に取り付けられる。
【００２７】
各ミストノズル１１は、１本の供給配管１２に接続されて、一列に並べて配置される。本例では、３個のミストノズル１１を所定の間隔を開けて配置して、各ミストノズル１１が供給配管１２と接続され、供給配管１２に温水が供給されると、各ミストノズル１１に温水が分配されて、各ミストノズル１１からミストが噴出する。
【００２８】
ノズルユニット２Ａは、図１に示す浴室１０１の天井パネルに形成された開口に本体部１３が挿入され、本体部１３の下部開口を覆うフロントパネル１４が取り付けられて、浴室１０１の天井パネルに設置される。
【００２９】
フロントパネル１４は、ミストノズル１１の配置に合わせて穴部１４ａが形成され、穴部１４ａからミストノズル１１が露出している。
【００３０】
ここで、フロントパネル１４を固定する図示しないネジが挿入される長穴１４ｂを備えて、フロントパネル１４の取り付け位置を、ミストノズル１１の並ぶ方向に対して直交する方向に移動できる構成とすることで、フロントパネル１４の穴部１４ａの位置に応じて各ミストノズル１１が供給配管１２を軸に回転するようにして、ノズルユニット２Ａの設置時に、ミストの噴出方向を選択できるようにしても良い。
【００３１】
例えば、ノズルユニット２Ａは、ミストノズル１１の並ぶ方向を、図１に示す浴室１０１において浴槽１０１ａと洗い場１０１ｂの並ぶ方向に対して直交する向きとして設置されるので、ミストＭの噴出方向を浴槽１０１ａ側と洗い場１０１ｂ側との間で選択可能となっている。
【００３２】
図３はミスト発生装置２を構成する弁ユニット２Ｂの一例を示す構成図である。弁ユニット２Ｂは流路切替装置の一例で、図１に示す給湯装置４からの配管１５ａが接続される給湯配管接続部１６ａと、ノズルユニット２Ａへの配管１５ｂが接続される供給配管接続部１６ｂと、ドレン配管１５ｃが接続されるドレン配管接続部１６ｃを備える。
【００３３】
弁ユニット２Ｂは、給湯配管接続部１６ａと供給配管接続部１６ｂとの間が供給配管１７で接続され、給湯装置４とノズルユニット２Ａとの間を接続している。また、弁ユニット２Ｂは、供給配管１７から分岐した排水配管１８がドレン配管接続部１６ｃと接続され、給湯装置４とドレン配管１５ｃとの間を接続している。
【００３４】
弁ユニット２Ｂは、排水配管１８との分岐部１７ａより上流側の供給配管１７に、給湯の有無を切り替える給湯切替電磁弁１９ａを備えると共に、分岐部１７ａより下流側の供給配管１７に、温水または水の供給先をノズルユニット２Ａに切り替える供給切替電磁弁１９ｂを備える。
【００３５】
更に、弁ユニット２Ｂは、温水または水の供給先をドレン配管１５ｃに切り替える排水切替電磁弁１９ｃを、排水配管１８に備える。
【００３６】
また、弁ユニット２Ｂは、給湯切替電磁弁１９ａと分岐部１７ａとの間の供給配管１７に、供給配管１７を流れる温水または水の温度を検出する水温検出センサ２０を備える。
【００３７】
ここで、供給配管１７に設ける給湯切替電磁弁１９ａ及び供給切替電磁弁１９ｂの設置高さより、排水配管１８に設ける排水切替電磁弁１９ｃの設置高さが低くなるように、供給配管１７と排水配管１８の流路を構成することで、流路中に残水が滞留しないようにしている。
【００３８】
図４及び図５は弁ユニット２Ｂの動作説明図である。ミスト噴出時は、図４（ａ）に示すように、給湯切替電磁弁１９ａと供給切替電磁弁１９ｂは開き、排水切替電磁弁１９ｃは閉じる。これにより、図１に示す給湯装置４から供給された温水ＨＷが、供給配管１７を流れてノズルユニット２Ａに供給され、ノズルユニット２ＡでミストＭが噴出される。
【００３９】
排水時は、図４（ｂ）に示すように、給湯切替電磁弁１９ａと排水切替電磁弁１９ｃは開き、供給切替電磁弁１９ｂは閉じる。これにより、給湯装置４から供給された温水ＨＷが、供給配管１７及び排水配管１８を流れてドレン配管１５ｃから排水（ＥＷ）される。
【００４０】
排水の停止時は、まず、図５（ａ）に示すように、排水切替電磁弁１９ｃは開けた状態で、給湯切替電磁弁１９ａを閉じた後、供給切替電磁弁１９ｂを開ける。これにより、供給配管１７のノズルユニット２Ａと接続された側が大気に開放された状態となるので、供給配管１７内の残水ＲＷが排水配管１８へと流れてドレン配管１５ｃから排水される。
【００４１】
そして、残水ＲＷの排水に要する時間に応じて設定された所定時間経過後、図５（ｂ）に示すように、給湯切替電磁弁１９ａ、供給切替電磁弁１９ｂ及び排水切替電磁弁１９ｃの全てを閉じることで、給湯切替電磁弁１９ａより下流側の流路に残水を滞留させない状態とすることができる。
【００４２】
＜浴室空調装置の構成例及び動作例＞
図６は浴室空調装置３の構成例及び動作例を示す断面図、図７は浴室空調装置３を下面側から見た斜視図であり、次に、浴室空調装置３の構成の一例及び動作の一例について説明する。
【００４３】
浴室空調装置３は空調装置の一例で、浴室暖房換気乾燥装置等と称され、換気手段及び送風手段を構成するファン部３２と熱源としてのヒータ部３３を備える。浴室空調装置３は、本体ケース３４にファン部３２が取り付けられる。ファン部３２は、回転駆動される多翼の羽根車（ファン）３５と、羽根車３５を回転駆動するファンモータ３６と、ファンモータ３６が取り付けられると共に、風路を形成するファンケース３７を備える。
【００４４】
ファン部３２は、羽根車３５が縦向きに配置され、ファンケース３７は、羽根車３５の軸方向に沿った下面が開口して吸込口３８が形成される。また、ファンケース３７は羽根車３５の接線方向に沿った一の側面が開口して、風路切換部３９を備える。
【００４５】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備え、ダンパ４０の位置によって、吸込口３８から吹出口４１へ連通した風路か、排気口４２へ連通した風路が形成される。
【００４６】
図６（ａ）では、ダンパ４０を全閉した状態を示す。ダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称す。
【００４７】
図６（ｂ）では、ダンパ４０を全開にした状態を示す。ダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称す。
【００４８】
図６（ｃ）では、ダンパ４０を循環位置と換気位置の中間位置にした状態を示す。ダンパ４０を循環位置と換気位置の中間位置にすると、吸込口３８から吹出口４１へ連通した循環風路４３ａと、吸込口３８から排気口４２へ連通した換気風路４３ｂの双方が形成される。この中間位置を循環換気位置と称す。
【００４９】
ファンケース３７は、ヒータ部３３の上流側にイオン発生器４４を備える。イオン発生器４４はイオン発生手段の一例で、ダンパ４０を循環位置あるいは循環換気位置とすることで形成される循環風路４３ａにイオン放出面が露出する。
【００５０】
イオン発生器４４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００５１】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００５２】
これにより、ファン部３２の運転と連動させて略同数の正イオンと負イオンを発生させ、略同数の正イオンと負イオンを含む空気を送風することで、循環する空気に含まれる浮遊細菌と図１に示す浴室１０１の空気中の浮遊細菌の双方を除去して、カビの発生等を抑えることができる。
【００５３】
ヒータ部３３は電気ヒータで構成される加熱手段の一例で、上述した吹出口４１に備えられる。ここで、ヒータ部３３としては例えばＰＴＣヒータを備える。
【００５４】
本体ケース３４は、図７に示すように、下面が開口しファン部３２の吸込口３８と吹出口４１が露出する。吸込口３８には温度検出センサ３１が備えられ、吸込口３８から吸い込む空気の温度を検出することで、浴室１０１の温度を検出可能となっている。
【００５５】
なお、吹出口４１に、風向を切り替える電動の吹出ルーバを備える構成としても良い。
【００５６】
本体ケース３４は、下面開口部にフロントパネル２６が取り付けられる。フロントパネル２６は、本体ケース３４に着脱できるように構成され、ファン部３２の吸込口３８と対向して吸込グリル４５を備えると共に、ファン部３２の吹出口４１と対向して吹出グリル４６を備える。また、フロントパネル２６は、吸込グリル４５の裏側にフィルタ４７が交換可能に取り付けられる。
【００５７】
更に、本体ケース３４は、ファン部３２の排気口４２と連通する排気ダクト接続部４８を一の側面に備える。浴室空調装置３は、排気ダクト接続部４８に図１に示す排気ダクト９が接続される。
【００５８】
浴室空調装置３は、ファンモータ３６が回転駆動されると、ファン部３２の羽根車３５が回転する。羽根車３５が回転駆動されると、フロントパネル２６の吸込グリル４５を介してファン部３２の吸込口３８から浴室１０１の空気Ａが吸い込まれる。
【００５９】
ダンパ４０の位置が図６（ａ）に示す循環位置であると、ファン部３２において吸込口３８から吹出口４１への循環風路４３ａが形成されるので、吸込口３８から吸い込まれた空気Ａは、循環風路４３ａを通り吹出口４１からフロントパネル２６の吹出グリル４６を介して浴室１０１内に吹き出される。
【００６０】
ヒータ部３３は循環風路４３ａの吹出口４１に配置されるので、ヒータ部３３が駆動されることで、循環風路４３ａを通る空気が温められて、温風ＨＡが吹出グリル４６ａから吹き出す。
【００６１】
これにより、ダンパ４０を循環位置として、ファンモータ３６が回転駆動されると、ヒータ部３３を駆動した場合は、浴室１０１内の空気を循環させながら、浴室１０１内に温風ＨＡが吹き出される。
【００６２】
ダンパ４０の位置が図６（ｂ）に示す換気位置であると、ファン部３２において吸込口３８から排気口４２への換気風路４３ｂが形成されるので、吸込口３８から吸い込まれた空気は、換気風路４３ｂ及び排気口４２を通り、更に、図１に示す排気ダクト９を通って排気グリル９ａから屋外へ排気される。
【００６３】
これにより、ダンパ４０を換気位置として、ファンモータ３６が回転駆動されると、浴室１０１内の湯気や湿気が排気される。
【００６４】
ダンパ４０の位置が図６（ｃ）に示す循環換気位置であると、ファン部３２において吸込口３８から吹出口４１への循環風路４３ａと、吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出される。
【００６５】
また、吸込口３８から吸い込まれた空気の残部は、換気風路４３ｂ及び排気口４２を通り、更に、図１に示す排気ダクト９を通って排気グリル９ａから屋外へ排気される。
【００６６】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。
【００６７】
また、ヒータ部３３を駆動した場合は、浴室１０１内の空気を循環させて浴室１０１内に温風を吹き出しながら、浴室１０１内の湯気や湿気が排気される。
【００６８】
なお、浴室空調装置としては、循環ファンと換気ファンを備えて循環風路と換気風路が独立した構成等でも良い。
【００６９】
＜ミスト発生装置と浴室空調装置の設置例＞
以上説明したミスト発生装置２と浴室空調装置３は、図１に示すように、それぞれ浴槽１０１ａの長手方向に沿って配置され、ミスト発生装置２と浴室空調装置３は、浴槽１０１ａと洗い場１０１ｂの並び方向に沿って並列される。また、ミスト発生装置２が洗い場１０１ｂ側に配置される。そして、ミスト発生装置２のミストＭの噴出方向、及び浴室空調装置３の温風ＨＡ（送風）の吹き出し方向は、通常洗い場１０１ｂ側に向けられている。
【００７０】
＜給湯システムの構成例＞
図８は給湯装置４の概要及び接続形態を示す構成図で、次に、給湯装置４の構成の一例及び動作の一例について説明する。
【００７１】
給湯装置４は、大気と冷媒との間の熱交換及び冷媒と水との間の熱交換で温水を生成するヒートポンプユニット５３と、ヒートポンプユニット５３で生成された温水を貯水する貯湯タンクユニット５４を備える。
【００７２】
ヒートポンプユニット５３は、大気と冷媒との間で熱交換を行って、冷媒の温度を上昇させる空気熱交換器５５と、冷媒と水との間で熱交換を行って、水の温度を上昇させる水熱交換器５６を備える。
【００７３】
また、ヒートポンプユニット５３は、空気熱交換器５５に大気を供給するファン５５ａと、空気熱交換器５５と水熱交換器５６との間を接続して、空気熱交換器５５と水熱交換器５６との間で冷媒を循環させる冷媒配管５７を備える。
【００７４】
更に、ヒートポンプユニット５３は、空気熱交換器５５と水熱交換器５６の間で空気熱交換器５５の下流側に、空気熱交換器５５で熱交換されて冷媒配管５７を流れる冷媒を圧縮して、温度を更に上昇させる圧縮機５８を備える。また、ヒートポンプユニット５３は、空気熱交換器５５と水熱交換器５６の間で水熱交換器５６の下流側に、水熱交換器５６で熱交換されて冷媒配管５７を流れる冷媒を膨張させて、温度を低下させる膨張弁５９を備える。
【００７５】
貯湯タンクユニット５４は、ヒートポンプユニット５３で生成された温水を貯水するタンク６０を備える。タンク６０は、下部側に水が供給されると共に、上部側に温水が供給されて、下部側に比べて上部側の温度が高くなる層化した状態で温水を貯水する。
【００７６】
ヒートポンプユニット５３と貯湯タンクユニット５４は、水熱交換器５６とタンク６０の間が温水配管６１ａ及び冷水配管６１ｂで接続され、冷水配管６１ｂにポンプ６１ｃを備える。
【００７７】
温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【００７８】
ポンプ６１ｃは、冷水配管６１ｂを介してタンク６０の流出口６０ｂから水を吸い込んで水熱交換器５６に供給し、水熱交換器５６を通過して生成された温水を、温水配管６１ａを介して流入口６０ａからタンク６０に供給する。
【００７９】
また、貯湯タンクユニット５４は、タンク６０に貯水された温水を取水する取水配管６２と、タンク６０に給水を行う給水配管６３が、タンク６０に接続される。
【００８０】
取水配管６２は、流入口６０ａと独立してタンク６０の上部に設けられる高温部取水口６０ｃと接続される高温部取水配管６２ａと、高温部取水口６０ｃより下側に設けられる中温部取水口６０ｄに接続される中温部取水配管６２ｂを備える。
【００８１】
また、取水配管６２は、高温部取水配管６２ａと中温部取水配管６２ｂの合流箇所に切換弁６２ｃを備え、タンク６０における取水元が、高温部取水口６０ｃか中温部取水口６０ｄに切り替えられる。
【００８２】
給水配管６３は、流出口６０ｂと独立してタンク６０の下部に設けられる給水口６０ｅと接続される。
【００８３】
更に、貯湯タンクユニット５４は、取水配管６２から供給される温水と、分岐給水配管６３ａから供給される水を混合させる給湯混合弁６４を備える。給湯混合弁６４は、取水配管６２と分岐給水配管６３ａの合流箇所に備えられ、取水配管６２から供給される温水と、分岐給水配管６３ａから供給される水の混合比を切り替えて、給湯配管６５から供給される温水の温度を調整する。
【００８４】
給湯配管６５は、図１に示すミスト発生装置２の弁ユニット２Ｂ、浴室１０１の浴槽１０１ａの蛇口やシャワー１０１ｃ、洗面脱衣所１０２の蛇口１０２ａ及び台所１０３の図示しない蛇口等と接続され、温水を供給する。
【００８５】
次に、給湯装置４の動作について説明する。給湯装置４は、貯湯タンクユニット５４のタンク６０に、給水配管６３から水が供給される。タンク６０に供給された水は、冷水配管６１ｂによりヒートポンプユニット５３の水熱交換器５６に供給される。
【００８６】
ヒートポンプユニット５３では、ファン５５ａにより空気熱交換器５５に大気が供給され、冷媒配管５７を流れる冷媒との間で熱交換が行われ、冷媒の温度が上昇する。空気熱交換器５５で熱交換が行われた冷媒は、圧縮機５８で圧縮されることで、温度が更に上昇する。
【００８７】
そして、圧縮機５８で圧縮されて温度を上昇させた冷媒は、水熱交換器５６に供給される。これにより、水熱交換器５６においては、大気との熱交換及び圧縮により温度を上昇させた冷媒と、貯湯タンクユニット５４から供給された水との間で熱交換が行われ、温水が生成される。
【００８８】
水熱交換器５６で熱交換された冷媒は、膨張弁５９で膨張させて温度を低下させ、再度空気熱交換器５５に供給される。
【００８９】
また、水熱交換器５６で熱交換されて生成された温水は、温水配管６１ａによりタンク６０に戻される。これにより、タンク６０は、上部側が温度が高く、下部側が温度の低い層化した状態で温水と水が貯水される。
【００９０】
タンク６０に貯水された温水は、取水配管６２により取水される。ここで、供給する温水の温度が高い場合は、切替弁６２ｃにより高温部取水配管６２ａから温水を取水し、供給する温水の温度が低い場合は、中温部取水配管６２ｂから温水を取水する。
【００９１】
取水配管６２により取水された温水は、分岐給水配管６３ｂから供給される水と給湯混合弁６４で混合される。給湯混合弁６４で温水と水の混合比を切り替えることで、給湯配管６５から供給される温水の温度が調整される。そして、給湯配管６５から供給される温水は、ミスト発生装置２、浴室１０１、洗面脱衣所１０２及び台所１０３等に分配される。
【００９２】
なお、給湯装置４は、自然冷媒を利用したヒートポンプ方式でない電気温水器や、ガス給湯器、他の熱源を利用した給湯器でも良い。
【００９３】
＜本実施の形態の浴室空調システムの制御機能例＞
図９は本実施の形態の浴室空調システム１Ａの制御系の一例を示す機能ブロック図であり、次に、上述したミスト発生装置２、浴室空調装置３及び給湯装置４を備えた浴室空調システム１Ａの制御系の構成について説明する。
【００９４】
浴室空調システム１Ａは、ミスト発生装置２にミスト制御部７を備えると共に、浴室空調装置３に主制御部８を備える。
【００９５】
ミスト制御部７は副制御手段の一例で、ミスト操作部５と、図３で説明した弁ユニット２Ｂの給湯切替電磁弁１９ａと、供給切替電磁弁１９ｂと、排水切替電磁弁１９ｃと、水温検出センサ２０等が接続される。なお、ミスト操作部５は例えば有線でミスト制御部７に接続される。また、ミスト制御部７は、時間を計測するタイマ７０が接続される。
【００９６】
主制御部８は主制御手段の一例で、主操作部６と、図６及び図７で説明した浴室空調装置３の温度検出センサ３１と、ヒータ部３３と、ファンモータ３６と、イオン発生器４４と、ダンパ４０を駆動するダンパモータ４０ｂ等が接続される。なお、主操作部６は例えば有線で主制御部８に接続される。
【００９７】
更に、ミスト制御部７と主制御部８は、例えば有線で接続される。
【００９８】
ミスト制御部７と主制御部８は、それぞれ図示しないＣＰＵやメモリ等を備え、ミスト操作部５及び主操作部６での操作と、予め記憶されているプログラムに従って、ミスト発生装置２の弁ユニット２Ｂと、浴室空調装置３を制御する。
【００９９】
すなわち、ミスト制御部７と主制御部８は、ミスト操作部５あるいは主操作部６での所定の操作に従って通信を行い、ミスト制御部７でミスト発生装置２の弁ユニット２Ｂを制御すると共に、主制御部８で浴室空調装置３を制御して、ミスト発生装置２と浴室空調装置３を連動させ、図１に示す浴室１０１の加湿暖房を行うミストモードを実行する。
【０１００】
また、主制御部８は、浴室空調装置３単体の動作として、主操作部６での所定の操作に従って浴室空調装置３を制御し、浴室１０１の暖房を行う暖房運転モードと、浴室１０１の換気を行う換気運転モードと、浴室１０１及び浴室１０１内に干した衣類等の乾燥を行う乾燥運転モードと、入浴者等に対して送風を行う涼風運転モードを選択的に実行する。
【０１０１】
図１０はミスト操作部５の一例を示す構成図である。ミスト操作部５は副操作手段の一例で、運転モードを選択する操作ボタンとして、ミストモードの運転及び運転停止を選択するミスト運転選択ボタン７１を備える。また、暖房運転モードの開始及び運転停止と、暖房の強弱を選択する暖房運転選択ボタン７２を備える。
【０１０２】
更に、図６及び図７で説明した浴室空調装置３に風向を切り替える電動の吹出ルーバを備えている場合に、吹出ルーバを動作させるルーバボタン７３を備える。また、全ての制御を停止させる停止ボタン７４を備える。
【０１０３】
ミスト操作部５は、ミスト発生装置２及び浴室空調装置３の運転状態と、浴室１０１内の状態等を入浴者等に報知する報知手段として、ミスト運転選択ボタン７１と対応させたミスト運転ランプ７５を備える。
【０１０４】
また、暖房運転選択ボタン７２と対応させた暖房運転ランプ７６を備える。暖房運転ランプ７６は、選択できる暖房の強弱の度合に応じて、例えば、強暖房運転ランプ７６ａと、弱暖房運転ランプ７６ｂを備える。
【０１０５】
更に、浴室空調システム１Ａの何れかで障害が生じた場合にこれを報知するエラーランプ７７を備える。
【０１０６】
図１１は主操作部６の一例を示す構成図である。主操作部６は主操作手段の一例で、運転モードを選択する操作ボタンとして、浴室空調装置３単体での暖房運転モードの開始及び運転停止と、ミスト発生装置２を連動させたミストモードの運転及び運転停止を選択する暖房運転選択ボタン８１を備える。
【０１０７】
また、換気運転モードの開始及び運転停止を選択する換気運転選択ボタン８２と、乾燥運転モードの開始及び運転停止を選択する乾燥運転選択ボタン８３と、涼風運転モードの開始及び運転停止を選択する涼風運転選択ボタン８４を備える。
【０１０８】
更に、所定の換気風量で常時換気を行う２４時間換気運転モードを選択する２４時間換気運転選択ボタン８５と、全ての制御を停止させる停止ボタン８６を備える。
【０１０９】
なお、図６及び図７で説明した浴室空調装置３に風向を切り替える電動の吹出ルーバを備えている場合に、吹出ルーバを動作させるルーバボタン８７を備える。
【０１１０】
また、主制御部６は、各操作ボタンで選択された運転モード及び各運転モードで設定される風量、更に、浴室１０１内の状態等を入浴者等に報知する報知手段として、暖房運転選択ボタン８１と対応させたミスト運転ランプ８１ａと、選択できる暖房の強弱の度合に応じて、例えば強暖房運転ランプ８１ｂと弱暖房運転ランプ８１ｃを備える。
【０１１１】
また、換気運転選択ボタン８２と対応させた換気運転ランプ８２ａと、乾燥運転選択ボタン８３と対応させた乾燥運転ランプ８３ａと、涼風運転選択ボタン８４と対応させた涼風運転ボタン８４と、２４時間換気運転選択ボタン８５と対応させた２４時間換気運転ランプ８５ａと、イオン運転ランプ８８を備える。
【０１１２】
なお、各運転モードで風量等が選択できる場合は、選択できる風量の強弱等に応じて、各操作ボタンに対応させて複数の運転ランプを備える。
【０１１３】
更に、主操作部６は、現在時刻等が表示される表示部８９を備える。
【０１１４】
なお、ミスト操作部５の暖房運転選択ボタン７２で選択できる暖房の強弱は、「強」、「弱」の２段階でなく、「強」、「中」、「弱」といった３段階でも良く、それ以上の段階であっても良い。
【０１１５】
また、選択できる暖房の強弱に応じて、暖房運転ランプ７６として、例えば中暖房運転ランプを備えても良い。
【０１１６】
同様に、主操作部６の暖房運転選択ボタン８１で選択できる暖房の強弱も、「強」、「中」、「弱」といった３段階でも良く、それ以上の段階であっても良い。また、選択できる暖房の強弱に応じて、暖房運転ランプとして、例えば中暖房運転ランプを備えても良い。
【０１１７】
なお、暖房運転の強弱の切り替えは、例えばファン風量を切り替えることで行っているが、ファン風量の切り替えだけでなく、ヒータ部３３におけるヒータの発熱量及びヒータの通電時間や、ヒータ通電を入切する温度を変更するようにしたものであっても良い。
【０１１８】
＜本実施の形態のミストモードの動作例＞
図１２は本実施の形態の浴室空調システム１Ａで実行されるミストモードの実施の形態の一例を示すフローチャートであり、次に、本実施の形態のミストモード実行時の処理の流れについて各図を参照して説明する。
【０１１９】
ステップＳＡ１：入浴者等は、浴室１０１を加湿暖房するため、浴室１０１に設置されているミスト操作部５のミスト運転選択ボタン７１を押すか、洗面脱衣所１０２に設置されている主操作部６の暖房運転選択ボタン８１を所定回数押して、ミストモードを選択する。
【０１２０】
ステップＳＡ２：ミスト操作部５のミスト運転選択ボタン７１が押されると、ミスト発生装置２のミスト制御部７１は、ミストモードが選択されたと判断して、ミスト操作部５のミスト運転ランプ７５を点滅させると共に、浴室空調装置３の主制御部８にミスト運転コマンドを送信する。
【０１２１】
ここで、ミスト操作部５でミスト運転ランプ７５が点滅している状態では、ミストモードの運転を開始したが、浴室１０１の温度を上げるためにミストを噴出せずに待機している状態であることを、浴室１０１内に居る入浴者等に報知している。
【０１２２】
ステップＳＡ３：主制御部８は、ミスト制御部７からのミスト運転コマンドを受信すると、ミストモードが選択されたと判断して、主操作部６のミスト運転ランプ８１ａを点滅させる。
【０１２３】
ここで、主操作部６でミスト運転ランプ８１ａが点滅している状態では、ミストモードの運転を開始したが、浴室１０１の温度を上げるためにミストを噴出せずに待機している状態であることを、浴室１０１外に居る入浴前の利用者等に報知している。
【０１２４】
なお、ミストモードが主操作部６の暖房運転選択ボタン８１を押すことで選択された場合は、主制御部８はミストモードが選択されたと判断してミスト制御部７にミスト運転コマンドを送信する。ミスト制御部７は、主制御部８からのミスト運転コマンドを受信すると、ミストモードが選択されたと判断してミスト運転ランプ７５を点滅させると共に、主制御部８にミスト運転コマンドを返信する。そして、主制御部８は、ミスト制御部７からのミスト運転コマンドの返信を受信すると、ミスト運転ランプ８１ａを点滅させる。
【０１２５】
ステップＳＡ４：浴室空調装置３の主制御部８は、ミストモードの運転を開始すると、浴室空調装置３を制御して暖房運転を行う。すなわち、主制御部８は、ファン風量が例えば「強」となるようにファンモータ３６を制御すると共に、ヒータ部３３に通電を行う。また、ダンパモータ４０ｂを制御して、ダンパ４０を図６（ａ）に示す循環位置とする。
【０１２６】
これにより、浴室空調装置３は、浴室１０１内の空気を循環させながら、フロントパネル２６の吹出グリル４６から浴室１０１内に温風ＨＡを吹き出す。浴室空調装置３では、ヒータ部３３としてＰＴＣヒータ等の電気ヒータを利用しているので、通電を開始してから、ヒータ部３３が所定の温度に加熱されるまでの時間が短く、温風ＨＡを吹き出すまでの立ち上がり時間は短い。また、ファン風量を「強」としているので、温風ＨＡの吹出量が増加する。
【０１２７】
従って、ミストモードでは、浴室１０１内の温度を短時間でミストの噴出に適した温度まで上げることができる。
【０１２８】
なお、浴室空調装置３が暖房運転を行っていることを報知するため、主制御部８は所定のコマンドを主操作部６とミスト制御部７に送信し、主操作部６の強暖房運転ランプ８１ｂを点灯させると共に、ミスト操作部５の強暖房運転ランプ７６ａを点灯させる。
【０１２９】
ステップＳＡ５：浴室空調装置３の主制御部８は、ミストモードの運転を開始すると、浴室１０１内が所定の状態になることを検出するため、温度検出センサ３１で浴室１０１内の温度ＴＨ１を検出する。本処理ステップでは、浴室１０１内の温度ＴＨ１が、ミスト噴出に適した所定のミスト噴出開始温度（例えば３０℃）に到達したか否かを判断する。
【０１３０】
ステップＳＡ６：浴室空調装置３の主制御部８は、上述したステップＳＡ５で浴室１０１内の温度ＴＨ１がミスト噴出開始温度（例えば３０℃）以上になったと判断すると、ミスト発生装置２のミスト制御部７に運転許可コマンドを送信する。ミスト制御部７は、主制御部８からの運転許可コマンドを受信すると、ミスト発生装置２を制御して、排水運転を行う。
【０１３１】
図１３は排水運転の一例を示すフローチャートであり、ミスト噴出前に実行する排水運転の処理の流れについて説明する。
【０１３２】
ステップＳＢ１：ミスト発生装置２のミスト制御部７は、弁ユニット２Ｂの給湯切替電磁弁１９ａを開く。
【０１３３】
ステップＳＢ２：ミスト発生装置２のミスト制御部７は、弁ユニット２Ｂの排水切替電磁弁１９ｃを開く。これにより、給湯装置４から供給された温水ＨＷがドレン配管１５ｃから排水される。このとき、供給切替電磁弁１９ｂは閉じており、ノズルユニット２Ａからミストの噴出は行われない。
【０１３４】
ステップＳＢ３：ミスト発生装置２のミスト制御部７は、タイマ７０をリセット（ｔ＝０）し、時間計測を行う。
【０１３５】
ステップＳＢ４：ミスト発生装置２のミスト制御部７は、排水運転を開始すると、水温検出センサ２０で給湯装置４から供給される温水ＨＷの水温ＴＨ２を検出する。
【０１３６】
本例では、給湯装置４から供給される温水ＨＷの水温ＴＨ２が、ミスト噴出に適した所定のミスト噴出適合温度（例えば３０℃）に到達したか否かを検出し、水温ＴＨ２がミスト噴出適合温度（例えば３０℃）に到達すると、ミストの噴出に適した水温となったと判断する。
【０１３７】
ステップＳＢ５：ミスト発生装置２のミスト制御部７は、水温検出センサ２０で検出した給湯装置４からの水温ＴＨ２がミスト噴出適合温度（例えば３０℃）未満であると、時間ｔを計測してから所定の給湯装置異常検出時間が経過したか判断する。
【０１３８】
本例では、給湯切替電磁弁１９ａと排水切替電磁弁１９ｃを開けて給湯装置４から給湯を開始してから、時間ｔが例えば５分経過しても水温ＴＨ２がミスト噴出に適したミスト噴出適合温度まで上昇しない場合は、給湯装置４で異常が発生したと判断する。
【０１３９】
ステップＳＢ６：ミスト発生装置２のミスト制御部７は、給湯装置４から給湯を開始してからの時間と水温の関係から、給湯装置４で異常が発生したと判断すると、ミスト操作部５のエラーランプ７７を点灯させる。
【０１４０】
ここで、ミスト操作部５でエラーランプ７７が点灯している状態では、給湯装置４側で何らかの異常が発生している状態であることを、入浴者等に報知している。
【０１４１】
ステップＳＢ７：ミスト発生装置２のミスト制御部７は、給湯装置４で異常が発生したと判断すると、ミスト噴出前の排水処理を停止するため、排水切替電磁弁１９ｃは開けた状態で、給湯切替電磁弁１９ａを閉じる。
【０１４２】
ステップＳＢ８：ミスト発生装置２のミスト制御部７は、給湯切替電磁弁１９ａを閉じた後、供給切替電磁弁１９ｂを開ける。これにより、図５（ａ）に示すように、供給配管１７のノズルユニット２Ａと接続された側が大気に開放された状態となるので、供給配管１７内の残水ＲＷが排水配管１８へと流れてドレン配管１５ｃから排水される。
【０１４３】
ステップＳＢ９：ミスト発生装置２のミスト制御部７は、残水ＲＷの排水に要する時間に応じて設定された所定時間（例えば３秒間）待機する。
【０１４４】
ステップＳＢ１０：ミスト発生装置２のミスト制御部７は、残水ＲＷの排水に要する時間に応じて設定された所定時間経過後、供給切替電磁弁１９ｂを閉じる。
【０１４５】
ステップＳＢ１１：ミスト発生装置２のミスト制御部７は、供給切替電磁弁１９ｂを閉じた後、排水切替電磁弁１９ｃを閉じる。これにより、ミスト発生装置２では、給湯切替電磁弁１９ａより下流側の流路に残水を滞留させない状態として、エラー中処理へ移行する。
【０１４６】
エラー中処理では、例えば、ミスト発生装置２のミスト制御部７は、浴室空調装置３の主制御部８にエラーコマンドを送信し、暖房運転を停止させる。エラーの発生により運転を停止することを利用者等に報知するため、ブザーを鳴らしても良い。
【０１４７】
ステップＳＢ１２：ミスト発生装置２のミスト制御部７は、上述したステップＳＢ４において水温検出センサ２０で検出した給湯装置４からの水温ＴＨ２がミスト噴出適合温度（例えば３０℃）に到達すると、ミストの噴出に適した水温となったと判断し、時間ｔを計測してから所定の給湯温度安定時間が経過したか判断する。
【０１４８】
本例では、給湯切替電磁弁１９ａと排水切替電磁弁１９ｃを開けて給湯装置４から給湯を開始して、給湯装置４からの水温ＴＨ２がミスト噴出適合温度（例えば３０℃）に到達してから例えば５秒経過したら、給湯温度が安定したと判断して、図１２に示すフローチャートのステップＳＡ７以降の処理を行う。
【０１４９】
ステップＳＢ１３：ミスト発生装置２のミスト制御部７は、給湯切替電磁弁１９ａと排水切替電磁弁１９ｃを開けて給湯装置４から給湯を開始してから、所定の給湯温度安定時間が経過していないと判断すると、タイマ７０をリセット（ｔ＝０）し、時間計測を行う。
【０１５０】
ステップＳＢ１４：ミスト発生装置２のミスト制御部７は、給湯装置４から給湯を開始して、水温ＴＨ２が所定のミスト噴出適合温度に到達してから給湯温度安定時間が経過すると、図１２に示すフローチャートのステップＳＡ７以降の処理を行う。
【０１５１】
ここで、ミストモードにおいて、浴室空調装置３で浴室１０１の暖房を開始して、浴室１０１内の温度ＴＨ１が所定の温度に到達した後、ミスト発生装置２で排水運転を開始することで、排水量を減らすことが可能となる。
【０１５２】
ステップＳＡ７：ミスト発生装置２のミスト制御部７は、上述した排水運転で給湯装置４から供給される温水ＨＷの水温ＴＨ２が所定のミスト噴出適合温度（例えば３０℃）以上になったと判断すると、ミスト操作部５のミスト運転ランプ７５を点滅から点灯に切り替えると共に、ブザーを鳴らす。
【０１５３】
ここで、ミスト操作部５でミスト運転ランプ７５が点灯している状態では、ミストモードでミストの噴出を行う状態であることを、浴室１０１内に居る入浴者等に報知している。
【０１５４】
なお、ミスト噴出前にランプによる報知だけでなく、ブザーを鳴らすことで、着衣のまま利用者が浴室１０１内にいるような場合に、退室を促すことができる。
【０１５５】
ステップＳＡ８：ミスト発生装置２のミスト制御部７は、ミストを噴出するため、弁ユニット２Ｂの給湯切替電磁弁１９ａは開いた状態で、排水切替電磁弁１９ｃを閉じると共に、供給切替電磁弁１９ｂを開く。これにより、給湯装置４から供給された所定の温度の温水ＨＷがノズルユニット２Ａに供給され、ノズルユニット２ＡでミストＭが噴出される。
【０１５６】
ステップＳＡ９：浴室空調装置３の主制御部８は、上述したステップＳＡ６でミスト発生装置２のミスト制御部７に運転許可コマンドを送信した後、浴室１０１内が所定の状態になったことを検出するため、温度検出センサ３１で浴室１０１内の温度ＴＨ１を検出する。本処理ステップでは、浴室１０１内の温度ＴＨ１が、ミスト噴出を開始する条件である上述した所定の室温であるミスト噴出開始温度（例えば３０℃）より高く、入浴に適した所定の入浴適合温度（例えば３５℃）に到達したか否かを判断する。
【０１５７】
ステップＳＡ１０：浴室空調装置３の主制御部８は、上述したステップＳＡ９で浴室１０１内の温度ＴＨ１が入浴適合温度（例えば３５℃）以上になったと判断すると、主操作部６のミスト運転ランプ８１ａを点滅から点灯に切り替える。
【０１５８】
ここで、主操作部６でミスト運転ランプ８１ａが点灯している状態では、浴室１０１内が所定の中温高湿のミストサウナ状態となり、入浴に適した状態であることを、浴室１０１外に居る入浴前の利用者等に報知している。
【０１５９】
なお、図１２に示すステップＳＡ５では、浴室１０１内の温度を温度検出センサ３１で検出して、浴室１０１内の状態を判断したが、タイマにより時間を計測して、所定時間の経過により浴室１０１の状態がミストの噴出に適した状態となったか否かを判断するようにしても良い。
【０１６０】
また、温度検出センサ３１による室温の検出と、タイマによる経過時間の計測を組み合わせて、浴室１０１内の状態を判断するようにしても良い。
【０１６１】
更に、湿度センサ等の他の手段で浴室１０１内がミストの噴出に適した状態となったか否かを判断しても良い。
【０１６２】
また、図１２に示すステップＳＡ９でも、タイマにより時間を計測して、所定時間の経過により浴室１０１内が入浴に適したミストサウナ環境であることを判断しても良く、同様に、温度検出センサ３１による室温の検出とタイマによる経過時間の計測の組み合わせや、湿度センサ等の他の手段によって、入浴に適した状態であることを判断するようにしても良い。
【０１６３】
以上の動作により、ミスト発生装置２で浴室１０１内にミストＭを噴出しながら、浴室空調装置３で温風ＨＡを吹き出すミストモードが実行される。
【０１６４】
図１４はミストモード運転中の待機処理の一例を示すフローチャートで、次に、ミストモード運転中に給湯装置４からの水温を監視して適切な水温のミストを噴出させる制御の流れについて説明する。
【０１６５】
ステップＳＣ１：ミスト発生装置２のミスト制御部７は、ミスト運転中は水温検出センサ２０で給湯装置４から供給される温水ＨＷの水温ＴＨ２を検出し、水温ＴＨ２が噴出下限値未満であるか判断する。
【０１６６】
本例では、水温ＴＨ２が例えば２５℃未満の状態が１０秒間続いたことを検出すると、水温ＴＨ２が噴出下限値未満となったと判断する。
【０１６７】
ステップＳＣ２：ミスト発生装置２のミスト制御部７は、水温検出センサ２０で検出した給湯装置４からの水温ＴＨ２が所定の噴出下限値未満となったと判断すると、ミストの噴出を一時停止する低温待機運転を行う。
【０１６８】
ステップＳＣ３：ミスト発生装置２のミスト制御部７は、水温検出センサ２０で検出した給湯装置４からの水温ＴＨ２が噴出上限値を超えているか判断する。
【０１６９】
本例では、水温ＴＨ２が例えば６５℃を超えた状態が１０秒間続いたことを検出すると、水温ＴＨ２が噴出上限値を超えたと判断する。
【０１７０】
ステップＳＣ４：ミスト発生装置２のミスト制御部７は、水温検出センサ２０で検出した給湯装置４からの水温ＴＨ２が所定の噴出上限値を超えたと判断すると、ミストの噴出を一時停止する高温待機運転を行う。
【０１７１】
図１５は低温待機運転の一例を示すフローチャートであり、次に、給湯装置４からの給湯温度が低下した場合の待機処理の流れについて説明する。
【０１７２】
ステップＳＤ１：ミスト発生装置２のミスト制御部７は、低温待機運転でミストＭの噴出を一時停止することを報知するため、ミスト操作部５のミスト運転ランプ７５を点灯から点滅に切り替える。なお、ブザーによる報知を併用しても良い。
【０１７３】
ステップＳＤ２：ミスト発生装置２のミスト制御部７は、ミストＭの噴出を停止するため、供給切替電磁弁１９ｂを閉じる。
【０１７４】
ステップＳＤ３：ミスト発生装置２のミスト制御部７は、供給切替電磁弁１９ｂを閉じた後、排水切替電磁弁１９ｂを開ける。これにより、ミストの噴出を停止すると共に排水運転を行って、給湯装置４からの給湯を続ける低温待機運転を開始する。
【０１７５】
ステップＳＤ４：ミスト発生装置２のミスト制御部７は、低温待機運転を開始すると、水温検出センサ２０で給湯装置４から供給される温水ＨＷの水温ＴＨ２を検出する。
【０１７６】
本例では、給湯装置４から供給される温水ＨＷの水温ＴＨ２が、所定のミスト噴出適合温度である例えば３０℃に到達したか否かを検出し、水温ＴＨ２が例えば３０℃に到達すると、ミストの噴出に適した水温に戻ったと判断する。
【０１７７】
ステップＳＤ５：ミスト発生装置２のミスト制御部７は、水温検出センサ２０で検出した給湯装置４からの水温ＴＨ２が例えば３０℃未満であると、時間ｔを計測して所定の給湯装置異常検出時間が経過したか判断する。
【０１７８】
本例では、給湯温度が低下した場合に、給湯装置で異常が発生したか否かを判断するため、例えば３分間排水を行って水温を監視する。
【０１７９】
ステップＳＤ６：ミスト発生装置２のミスト制御部７は、排水を開始してから所定の給湯装置異常検出時間（例えば３分）が経過しても水温ＴＨ２がミスト噴出に適した所定値まで上昇しない場合は、給湯装置４で異常が発生したと判断して、ミスト操作部５のエラーランプ７７を点灯させる。
【０１８０】
ここで、ミスト操作部５でエラーランプ７７が点灯している状態では、上述したように、給湯装置４側で何らかの異常が発生している状態であることを、入浴者等に報知している。
【０１８１】
ステップＳＤ７：ミスト発生装置２のミスト制御部７は、給湯装置４で異常が発生したと判断すると、給湯を停止するため、排水切替電磁弁１９ｃは開けた状態で、給湯切替電磁弁１９ａを閉じる。
【０１８２】
ステップＳＤ８：ミスト発生装置２のミスト制御部７は、給湯切替電磁弁１９ａを閉じた後、供給切替電磁弁１９ｂを開ける。これにより、図５（ａ）に示すように、供給配管１７のノズルユニット２Ａと接続された側が大気に開放された状態となるので、供給配管１７内の残水ＲＷが排水配管１８へと流れてドレン配管１５ｃから排水される。
【０１８３】
ステップＳＤ９：ミスト発生装置２のミスト制御部７は、残水ＲＷの排水に要する時間に応じて設定された所定時間（例えば３秒間）待機する。
【０１８４】
ステップＳＤ１０：ミスト発生装置２のミスト制御部７は、残水ＲＷの排水に要する時間に応じて設定された所定時間経過後、供給切替電磁弁１９ｂを閉じる。
【０１８５】
ステップＳＤ１１：ミスト発生装置２のミスト制御部７は、供給切替電磁弁１９ｂを閉じた後、排水切替電磁弁１９ｃを閉じる。これにより、ミスト発生装置２では、給湯切替電磁弁１９ａより下流側の流路に残水を滞留させない状態として、エラー中処理へ移行する。
【０１８６】
エラー中処理では、例えば、ミスト発生装置２のミスト制御部７は、浴室空調装置３の主制御部８にエラーコマンドを送信し、暖房運転を停止させる。
【０１８７】
ステップＳＤ１２：ミスト発生装置２のミスト制御部７は、上述したステップＳＤ４において水温検出センサ２０で検出した給湯装置４からの水温ＴＨ２がミスト噴出適合温度である例えば３０℃に到達すると、ミストの噴出に適した水温と戻ったと判断し、ミストを再噴出することを報知するため、ブザーを例えば一秒間鳴らす。
【０１８８】
ステップＳＤ１３：ミスト発生装置２のミスト制御部７は、ミストを噴出するため、供給切替電磁弁１９ｂを開ける。
【０１８９】
ステップＳＤ１４：ミスト発生装置２のミスト制御部７は、供給切替電磁弁１９ｂを開けた後、排水切替電磁弁１９ｃを閉じる。これにより、給湯装置４から供給された所定の温度の温水ＨＷがノズルユニット２Ａに供給され、ノズルユニット２ＡでミストＭが再噴出される。
【０１９０】
ステップＳＤ１５：ミスト発生装置２のミスト制御部は、ミスト操作部５のミスト運転ランプ７５を点滅から点灯に切り替える。
【０１９１】
ここで、ミスト操作部５でミスト運転ランプ７５が点灯している状態では、上述したように、ミストモードでミストの噴出を行う状態であることを、浴室１０１内に居る入浴者等に報知している。
【０１９２】
図１６は高温待機運転の一例を示すフローチャートであり、次に、給湯装置４からの給湯温度が上昇した場合の待機処理の流れについて説明する。
【０１９３】
ステップＳＥ１：ミスト発生装置２のミスト制御部７は、高温待機運転でミストＭの噴出を一時停止することを報知するため、ミスト操作部５のミスト運転ランプ７５を点灯から点滅に切り替える。なお、ブザーによる報知を併用しても良い。
【０１９４】
ステップＳＥ２：ミスト発生装置２のミスト制御部７は、ミストＭの噴出を停止するため、供給切替電磁弁１９ｂを閉じる。
【０１９５】
ステップＳＥ３：ミスト発生装置２のミスト制御部７は、供給切替電磁弁１９ｂを閉じた後、排水切替電磁弁１９ｂを開ける。これにより、ミストの噴出を停止すると共に排水運転を行って、給湯装置４からの給湯を続ける高温待機運転を開始する。
【０１９６】
ステップＳＥ４：ミスト発生装置２のミスト制御部７は、高温待機運転を開始すると、水温検出センサ２０で給湯装置４から供給される温水ＨＷの水温ＴＨ２を検出する。
【０１９７】
本例では、給湯装置４から供給される温水ＨＷの水温ＴＨ２が、所定の上限温度である例えば６０℃未満に低下したか否かを検出し、水温ＴＨ２が例えば６０℃未満に低下すると、ミストの噴出に適した水温に戻ったと判断する。
【０１９８】
ステップＳＥ５：ミスト発生装置２のミスト制御部７は、水温検出センサ２０で検出した給湯装置４からの水温ＴＨ２が例えば６０℃以上であると、時間ｔを計測して所定の給湯装置異常検出時間が経過したか判断する。
【０１９９】
本例では、給湯温度が上昇した場合に、給湯装置で異常が発生したか否かを判断するため、例えば３分間排水を行って水温を監視する。
【０２００】
ステップＳＥ６：ミスト発生装置２のミスト制御部７は、排水を開始してから所定の給湯装置異常検出時間（例えば３分）が経過しても水温ＴＨ２がミスト噴出に適した所定値まで低下しない場合は、給湯装置４で異常が発生したと判断して、ミスト操作部５のエラーランプ７７を点灯させる。
【０２０１】
ここで、ミスト操作部５でエラーランプ７７が点灯している状態では、上述したように、給湯装置４側で何らかの異常が発生している状態であることを、入浴者等に報知している。
【０２０２】
ステップＳＥ７：ミスト発生装置２のミスト制御部７は、給湯装置４で異常が発生したと判断すると、給湯を停止するため、排水切替電磁弁１９ｃは開けた状態で、給湯切替電磁弁１９ａを閉じる。
【０２０３】
ステップＳＥ８：ミスト発生装置２のミスト制御部７は、給湯切替電磁弁１９ａを閉じた後、供給切替電磁弁１９ｂを開ける。これにより、図５（ａ）に示すように、供給配管１７のノズルユニット２Ａと接続された側が大気に開放された状態となるので、供給配管１７内の残水ＲＷが排水配管１８へと流れてドレン配管１５ｃから排水される。
【０２０４】
ステップＳＥ９：ミスト発生装置２のミスト制御部７は、残水ＲＷの排水に要する時間に応じて設定された所定時間（例えば３秒間）待機する。
【０２０５】
ステップＳＥ１０：ミスト発生装置２のミスト制御部７は、残水ＲＷの排水に要する時間に応じて設定された所定時間経過後、供給切替電磁弁１９ｂを閉じる。
【０２０６】
ステップＳＥ１１：ミスト発生装置２のミスト制御部７は、供給切替電磁弁１９ｂを閉じた後、排水切替電磁弁１９ｃを閉じる。これにより、ミスト発生装置２では、給湯切替電磁弁１９ａより下流側の流路に残水を滞留させない状態として、エラー中処理へ移行する。
【０２０７】
エラー中処理では、例えば、ミスト発生装置２のミスト制御部７は、浴室空調装置３の主制御部８にエラーコマンドを送信し、暖房運転を停止させる。
【０２０８】
ステップＳＥ１２：ミスト発生装置２のミスト制御部７は、上述したステップＳＥ４において水温検出センサ２０で検出した給湯装置４からの水温ＴＨ２が例えば６０℃未満に低下すると、ミストの噴出に適した水温と戻ったと判断し、ミストを再噴出することを報知するため、ブザーを例えば一秒間鳴らす。
【０２０９】
ステップＳＥ１３：ミスト発生装置２のミスト制御部７は、ミストを噴出するため、供給切替電磁弁１９ｂを開ける。
【０２１０】
ステップＳＥ１４：ミスト発生装置２のミスト制御部７は、供給切替電磁弁１９ｂを開けた後、排水切替電磁弁１９ｃを閉じる。これにより、給湯装置４から供給された所定の温度の温水ＨＷがノズルユニット２Ａに供給され、ノズルユニット２ＡでミストＭが再噴出される。
【０２１１】
ステップＳＥ１５：ミスト発生装置２のミスト制御部は、ミスト操作部５のミスト運転ランプ７５を点滅から点灯に切り替える。
【０２１２】
ここで、ミスト操作部５でミスト運転ランプ７５が点灯している状態では、上述したように、ミストモードでミストの噴出を行う状態であることを、浴室１０１内に居る入浴者等に報知している。
【０２１３】
以上説明したように、本実施の形態の浴室空調システム１Ａでは、給湯装置４から供給される温水の水温が変動すると、ミストの噴出を停止して給湯温度を監視する待機運転を行い、給湯温度の変動が継続して所定の異常検出時間が経過した場合はエラーとし、所定の異常検出時間内に給湯温度が復帰した場合はミストの噴出を再開する。
【０２１４】
これにより、給湯装置４からの給湯温度が不安定な場合でも、エラーが頻発することなく、運転を継続することができる。
【０２１５】
また、待機運転中は、給湯装置４から供給される温水または水を排水することで、ミストの噴出を行うことなく、給湯温度の監視が行え、ミストの温度が高いあるいは低いといった不快感を利用者に与えることがない。
【０２１６】
更に、通常のミストモード運転中と待機運転中でミスト運転ランプ７５の表示状態を変えることで、利用者に待機運転を行っていることを報知でき、待機運転でミストの噴出を一時停止している状態と、エラーにより運転が中止された状態を区別して把握させることができる。
【産業上の利用可能性】
【０２１７】
本発明は、浴室やシャワー室等の加湿暖房を行う空調システムに適用される。
【図面の簡単な説明】
【０２１８】
【図１】本実施の形態の浴室空調システムの一例を示す構成図である。
【図２】ミスト発生装置を構成するノズルユニットの一例を示す構成図である。
【図３】ミスト発生装置を構成する弁ユニットの一例を示す構成図である。
【図４】弁ユニットの動作説明図である。
【図５】弁ユニットの動作説明図である。
【図６】浴室空調装置の構成例及び動作例を示す断面図である。
【図７】浴室空調装置を下面側から見た斜視図である。
【図８】給湯装置の概要及び接続形態を示す構成図である。
【図９】本実施の形態の浴室空調システムの制御系の一例を示す機能ブロック図である。
【図１０】ミスト操作部の一例を示す構成図である。
【図１１】主操作部の一例を示す構成図である。
【図１２】本実施の形態の浴室空調システムで実行されるミストモードの一例を示すフローチャートである。
【図１３】排水運転の一例を示すフローチャートである。
【図１４】ミストモード運転中の待機処理の一例を示すフローチャートである。
【図１５】低温待機運転の一例を示すフローチャートである。
【図１６】高温待機運転の一例を示すフローチャートである。
【符号の説明】
【０２１９】
１Ａ・・・浴室空調システム、２・・・ミスト発生装置、２Ａ・・・ノズルユニット、２Ｂ・・・弁ユニット、３・・・浴室空調装置、４・・・給湯装置、５・・・ミスト操作部、６・・・主操作部、７・・・ミスト制御部、８・・・主制御部、１１・・・ミストノズル、１５ｃ・・・ドレン配管、１９ａ・・・給湯切替電磁弁、１９ｂ・・・供給切替電磁弁、１９ｃ・・・排水切替電磁弁、２０・・・水温検出センサ、３１・・・温度検出センサ、３２・・・ファン部、３３・・・ヒータ部、７１・・・ミスト運転選択ボタン、７５・・・ミスト運転ランプ、８１・・・暖房運転選択ボタン、８１ａ・・・ミスト運転ランプ、１０１・・・浴室、１０２・・・洗面脱衣所
【図１】
0004697026.tif 000002
【図２】
0004697026.tif 000003
【図３】
0004697026.tif 000004
【図４】
0004697026.tif 000005
【図５】
0004697026.tif 000006
【図６】
0004697026.tif 000007
【図７】
0004697026.tif 000008
【図８】
0004697026.tif 000009
【図９】
0004697026.tif 000010
【図１０】
0004697026.tif 000011
【図１１】
0004697026.tif 000012
【図１２】
0004697026.tif 000013
【図１３】
0004697026.tif 000014
【図１４】
0004697026.tif 000015
【図１５】
0004697026.tif 000016
【図１６】
0004697026.tif 000017